(57)【特許請求の範囲】
【請求項１】
槽体の排水口を開閉するための栓蓋と、
自身の上端部で前記栓蓋を支持する支持軸と、
円筒状の本体管、及び、当該本体管の外周から突出し前記本体管に連通された筒状の取付管を有する配管と、
前記本体管の内周面に沿って配置される環状の外周壁部を有するとともに、前記支持軸を支持する通水部材と、
前記取付管に挿通された回動可能な回動部、及び、当該回動部から前記本体管内に突出するとともに、前記排水口を開放した状態において前記外周壁部が載置されることで前記通水部材を支持する支持突起を有し、前記回動部が回動することで、前記支持突起が回動しつつ上下動するように構成された栓蓋側機構部とを備え、
前記支持突起の先端が前記本体管の中心に到達しないように構成された排水栓装置であって、
前記回動部は、自身の回動軸と前記本体管の中心軸とが交差しない位置に設けられるとともに、
前記排水口を閉鎖した状態において前記外周壁部から前記支持突起が離間可能に構成され、
前記支持突起に対し前記外周壁部が載置されている状態において、上方から見て、前記支持突起の中心軸が前記回動部の回動軸を越えない範囲内で移動するように前記回動部の回動可能範囲が規定されることを特徴とする排水栓装置。
【請求項２】
前記支持突起と前記通水部材との接触部位が、前記本体管の中心軸を含み前記回動軸と平行な平面を通過可能に構成されることを特徴とする請求項１に記載の排水栓装置。
【請求項３】
上方から見たときにおける前記接触部位の移動範囲の中心に、前記平面が位置するように構成されることを特徴とする請求項２に記載の排水栓装置。
【請求項４】
前記本体管側に位置する前記取付管の開口は、前記支持突起の移動範囲に対応する形状をなすとともに、前記支持突起が挿通されていることを特徴とする請求項１乃至３のいずれか１項に記載の排水栓装置。
【発明の詳細な説明】
【技術分野】
【０００１】
本発明は、槽体の排水口に設けられる排水栓装置に関する。
【背景技術】
【０００２】
排水栓装置は、槽体（例えば、浴槽や洗面器など）の排水口に設けられた栓蓋を備えており、栓蓋を上下動させることで排水口を開閉させる。
【０００３】
排水栓装置としては、栓蓋を支持する支持軸と、当該支持軸を上下動可能な状態で保持する栓蓋側機構部（支持機構）とを備えており、操作ボタンなどの変位が所定の伝達部材等により前記支持軸へと伝達されることで、栓蓋を上下動させるものが一般に知られている（例えば、特許文献１等参照）。
【０００４】
また近年では、回動可能な回動部と、回動部から配管内に向けて突出する支持突起とを備えるとともに、前記支持突起に対し前記支持軸を保持する通水部材が載置されることで、支持突起により通水部材や栓蓋等を支持する排水栓装置が提案されている（例えば、特許文献２等参照）。当該技術では、前記回動部の回動に伴い支持突起が回動しつつ上下動することで、通水部材ひいては栓蓋が上下動する。また、支持突起が配管の中心に到達しないように構成されることで、支持突起に対する異物等の付着防止や清掃性の向上が図られている。
【先行技術文献】
【特許文献】
【０００５】
【特許文献１】特開平１１−２１９６５号公報
【特許文献２】特開２０１２−３６５５８号公報
【発明の概要】
【発明が解決しようとする課題】
【０００６】
ところで、一般に配管は円筒状をなし、その内周面は湾曲面状をなすところ、上記技術では、図８（ａ），（ｂ）に示すように、回動部２４１の回動に伴い、配管２５１の内周面に対する支持突起２４４の突出量が大きく変動してしまうおそれがある。例えば、上方から見たとき、支持突起２４４が回動部２４１の回動軸ＣＬ２２を挟む２つの領域のうちの一方側の領域に配置された場合には、配管２５１の内周面に対する支持突起２４４の突出量Ｐが比較的大きなものとなる〔図８（ａ）参照〕。その一方で、支持突起２４４が前記２つの領域のうちの他方側の領域に配置された場合には、配管２５１の内周面に対する支持突起２４４の突出量Ｐが比較的小さなものとなってしまう〔図８（ｂ）参照〕。
【０００７】
ここで、支持突起によって通水部材を安定的に支持し、装置の動作安定性を確保するという観点からは、突出量Ｐが最も小さくなるような位置に支持突起を配置した場合においても、突出量Ｐが十分に大きなものとなるように構成することが望ましい。しかしながら、このように構成すると、突出量Ｐが最も大きくなるような位置に支持突起を配置した場合に、突出量Ｐが過度に大きなものとなってしまう。そのため、清掃時に支持突起が邪魔となってしまったり、排水時において支持突起に対する異物等の付着が生じやすくなってしまったりして、清掃性や衛生性の低下を招いてしまうおそれがある。
【０００８】
本発明は、上記事情に鑑みてなされたものであり、その目的は、回動部の回動に伴う支持突起の突出量の変動幅を比較的小さく抑えることができる排水栓装置を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．槽体の排水口を開閉するための栓蓋と、
自身の上端部で前記栓蓋を支持する支持軸と、
円筒状の本体管、及び、当該本体管の外周から突出し前記本体管に連通された筒状の取付管を有する配管と、
前記本体管の内周面に沿って配置される環状の外周壁部を有するとともに、前記支持軸を支持する通水部材と、
前記取付管に挿通された回動可能な回動部、及び、当該回動部から前記本体管内に突出するとともに、前記排水口を開放した状態において前記外周壁部が載置されることで前記通水部材を支持する支持突起を有し、前記回動部が回動することで、前記支持突起が回動しつつ上下動するように構成された栓蓋側機構部とを備え、
前記支持突起の先端が前記本体管の中心に到達しないように構成された排水栓装置であって、
前記回動部は、自身の回動軸と前記本体管の中心軸とが交差しない位置に設けられるとともに、
前記排水口を閉鎖した状態において前記外周壁部から前記支持突起が離間可能に構成され、
前記支持突起に対し前記外周壁部が載置されている状態において、上方から見て、前記支持突起の中心軸が前記回動部の回動軸を越えない範囲内で移動するように前記回動部の回動可能範囲が規定されることを特徴とする排水栓装置。
【００１１】
上記手段１によれば、支持突起の先端が本体管の中心に到達しないように構成されており、配管（本体管）からの支持突起の突出量が非常に小さなものとされている。従って、支持突起に対する異物等の付着をより確実に防止することができ、衛生性を高めることができる。また、清掃時に支持突起が邪魔となりにくくなり、清掃性を向上させることができる。
【００１２】
さらに、上記手段１によれば、支持突起に外周壁部が載置されている状態（支持突起により通水部材が支持されており、排水可能な状態）において、上方から見たとき、支持突起の中心軸が回動部の回動軸を越えない範囲内で移動する。つまり、支持突起に外周壁部が載置されている状態において、上方から見たときにおける、前記回動軸と直交する方向に沿った支持突起の移動範囲は、前記回動軸を挟む２つの領域（両領域は、それぞれ前記回動軸を含む）のうちの一方側の領域内に支持突起の中心軸が位置する範囲に限定されており、比較的小さなものとされている。従って、支持突起により通水部材が支持されており、排水可能となっている状態において、回動部の回動に伴う、配管（本体管）の内周面に対する支持突起の突出量の変動幅を比較的小さく抑えることができる。これにより、支持突起の前記突出量を、支持突起による通水部材（外周壁部）の安定的な支持を実現しつつ、排水時における支持突起に対する異物等の付着をより確実に防止できる程度の大きさに設定することができる。その結果、装置の動作安定性を確保しつつ、清掃性、衛生性の更なる向上を図ることができる。
【００１３】
手段２．前記支持突起と前記通水部材との接触部位が、前記本体管の中心軸を含み前記回動軸と平行な平面を通過可能に構成されることを特徴とする手段１に記載の排水栓装置。
【００１４】
支持突起が本体管の中心軸と相対する位置及びその近傍の位置に配置された状態において、回動部の回動に伴い、上方から見て、支持突起が前記回動軸と直交する方向に沿って移動したとき、その単位移動量当たりにおける前記突出量の変動量は比較的小さなものとなる。
【００１５】
この点を踏まえて、上記手段２によれば、支持突起と通水部材（外周壁部）との接触部位が、回動部の回動時に、本体管の中心軸を含み回動部の回動軸と平行な平面を通過可能とされている。つまり、支持突起により通水部材が支持されており、排水可能となっている状態において、上方から見て、支持突起が前記回動軸と直交する方向に沿って移動したとき、支持突起は、その単位移動量当たりにおける前記突出量の変動量が比較的小さくなる範囲で移動するようになっている。従って、支持突起により通水部材が支持されており、排水可能となっている状態において、回動部の回動に伴う前記突出量の変動幅をより小さく抑えることができる。その結果、装置の動作安定性や清掃性、衛生性の向上を一層図ることができる。
【００１６】
手段３．上方から見たときにおける前記接触部位の移動範囲の中心に、前記平面が位置するように構成されることを特徴とする手段２に記載の排水栓装置。
【００１７】
尚、「中心」とあるのは、厳密に中心である必要はなく、ほぼ中心であればよい。
【００１８】
上記手段３によれば、上方から見たとき、支持突起は、前記平面を自身の移動範囲の中心として移動する。従って、上方から見て、回動軸より最も離間する位置から回動軸に最も接近する位置まで支持突起が移動した場合、前記突出量は徐々に減少していき、支持突起が前記平面と重なった時点でほぼ最大となり、その後、移動開始時点とほぼ同じものとなる。これにより、支持突起により通水部材が支持されており、排水可能となっている状態における、回動部の回動に伴う前記突出量の変動幅を一段と小さく抑えることができる。その結果、装置の動作安定性や清掃性、衛生性のより一層の向上を図ることができる。
【００１９】
手段４．前記本体管側に位置する前記取付管の開口は、前記支持突起の移動範囲に対応する形状をなすとともに、前記支持突起が挿通されていることを特徴とする手段１乃至３のいずれかに記載の排水栓装置。
【００２０】
取付管の開口を正面視円形状に形成した場合には、取付管の開口と回動部との間に位置する段差部分が本体管内に露出することがある。ここで、特に上記手段１等のように、回動部の回動軸と本体管の中心軸とが交差しないように構成されている場合においては、前記段差部分の面積が比較的大きくなりやすい。そのため、前記段差部分が本体管内に露出していると、前記段差部分に異物が付着しやすくなったり、前記段差部分の清掃が困難となってしまったりして、衛生性や清掃性の面で悪影響が生じてしまう可能性が若干ながらある。
【００２１】
この点、上記手段４によれば、本体管内に前記段差部分を露出しにくくすることができる（本体管内に対する前記段差部分の露出量を小さくすることができる）。そのため、衛生性及び清掃性を一層向上させることができる。
【図面の簡単な説明】
【００２２】
【図１】排水栓装置のうち排水口側に設けられる部分の構成を示す断面図である。
【図２】操作装置の断面図である。
【図３】配管に取付けられた栓蓋側機構部の一部透視側面図である。
【図４】図３のＪ−Ｊ線断面図である。
【図５】ケース部材及び運動方向変換部等の構成を示す斜視図である。
【図６】支持突起の移動範囲を説明するための断面模式図である。
【図７】別の実施形態における、取付管の開口を示す断面図である。
【図８】（ａ），（ｂ）は、従来技術における回動部の回動に伴う支持突起の突出量の変動を説明するための一部破断模式図である。
【発明を実施するための形態】
【００２３】
以下に、一実施形態について図面を参照しつつ説明する。図１及び図２に示すように、排水栓装置１は、槽体としての洗面器１００等に取付けられており、操作装置２と、レリースワイヤ３と、栓蓋側機構部４と、排水口装置５とを備えている。
【００２４】
操作装置２は、図２に示すように、洗面器１００の近傍に設けられた壁状のバックガード１０１に取付けられた筒状のガイド部２１と、当該ガイド部２１の内周において往復移動可能に配置された変位部材２２とを備えている。
【００２５】
また、変位部材２２の一端部には、レリースワイヤ３の後述する伝達部材３１の他端部が取付けられており、変位部材２２の往復移動に伴い伝達部材３１が往復するようになっている。
【００２６】
また、ガイド部２１の一端部外周には、ほぼ直角に屈曲する筒状をなす操作側屈曲ガイド部材６が取付けられている。そして、操作側屈曲ガイド部材６の内周においてレリースワイヤ３の後述するチューブ部材３２の他端部が保持されている。
【００２７】
レリースワイヤ３は、ワイヤー等からなる長尺状の伝達部材３１と、樹脂やゴム等からなる長尺筒状のチューブ部材３２とを備えている。伝達部材３１は、チューブ部材３２の内周に配置されており、変位部材２２の変位に伴いチューブ部材３２に対し往復移動するようになっている。
【００２８】
栓蓋側機構部４は、排水口装置５の後述する配管５１に対し取付・取外自在に構成されており、本実施形態では、図１及び図３（図３では、洗面器１００や後述する栓蓋側ガイド部材７等を不図示）に示すように、配管５１の外部に取付けられている。また、栓蓋側機構部４は、図４及び図５に示すように、回動可能な回動部４１と、伝達部材３１の一端部が接続され、伝達部材３１の往復運動を回動運動に変換する運動方向変換部４２と、運動方向変換部４２が内部に収容されるとともに、配管５１に対して取付けられるケース部材４３とを備えている。
【００２９】
回動部４１は、ケース部材４３の内部からその外部へと突出しており、この突出部分が配管５１の後述する取付管５１Ｂに挿通されている。また、回動部４１は、配管５１の後述する本体管５１Ａの内部空間側に位置する端面の外周側に、配管５１（本体管５１Ａ）内に突出する棒状の支持突起４４を有している。支持突起４４は、その先端が本体管５１Ａの中心（本体管５１Ａの中心軸ＣＬ１）に到達しないように比較的短いものとされている。また、回動部４１が回動することで、支持突起４４は回動しつつ上下動するようになっている。尚、本実施形態では、支持突起４４の回動半径（回動部４１の回動軸ＣＬ２から支持突起４４の中心軸までの距離）が、本体管５１Ａの、前記中心軸ＣＬ１方向に沿って支持突起４４の配置可能範囲に対応する部位の半径よりも小さくされている。
【００３０】
また、本実施形態では、回動部４１の回動に伴い、支持突起４４は、上方から見て、回動部４１の回動軸ＣＬ２と直交する方向に移動することとなる。回動部４１の回動軸ＣＬ２と直交する方向に沿った支持突起４４の移動可能範囲については、後に詳述する。
【００３１】
さらに、本実施形態において、本体管５１Ａは円筒状であるため、回動部４１の回動に伴い、本体管５１Ａのうち少なくとも取付管５１Ｂの本体管５１Ａ側の開口５１Ｋに対応する部位から支持突起４４の先端までの回動部４１の回動軸ＣＬ２方向に沿った距離が変動するようになっている。つまり、回動部４１の回動に伴い、本体管５１Ａの内周面に対する支持突起４４の突出量が変動するようになっている。
【００３２】
運動方向変換部４２は、伝達部材３１の一端部と接続されたラック部４２Ａと、当該ラック部４２Ａに噛合されるとともに、回動部４１と同軸に設けられた回動可能な歯車部４２Ｂとを備えている。伝達部材３１の往復運動時には、ケース部材４３内にてラック部４２Ａが往復運動するとともに、歯車部４２Ｂの回動により回動部４１が回動し、ひいては支持突起４４が回動しつつ上下動するようになっている。
【００３３】
ケース部材４３は、前記回動部４１の突出する側の面に、回動部４１と平行に延びる複数の係止部４３Ａを備えている。係止部４３Ａは、その先端部が外周側に突出する鉤状をなしている。また、係止部４３Ａの側面部分には、外周側に突出する突起部４３Ｂが形成されている。
【００３４】
加えて、ケース部材４３のうちラック部４２Ａの収容される部位には、ラック部４２Ａの往復移動方向の前後を挟むようにして前方側接触部４３Ｃ及び後方側接触部４３Ｄが設けられている。そして、伝達部材３１の往動に伴いラック部４２Ａが往動したときには、ラック部４２Ａが前方側接触部４３Ｃに接触することで、ラック部４２Ａのそれ以上の往動が規制され、ひいては回動部４１のそれ以上の回動が規制されるようになっている。一方で、伝達部材３１の復動に伴いラック部４２Ａが復動したときには、ラック部４２Ａが後方側接触部４３Ｄに接触することで、ラック部４２Ａのそれ以上の復動が規制され、ひいては回動部４１のそれ以上の回動が規制されるようになっている。すなわち、本実施形態では、前方側接触部４３Ｃ及び後方側接触部４３Ｄにより、回動部４１の回動可能範囲を規定する回動範囲規定手段が構成されている。
【００３５】
さらに、ケース部材４３におけるレリースワイヤ３の出口部分には、筒状をなす栓蓋側ガイド部材７が取付けられている。そして、栓蓋側ガイド部材７の内部において、チューブ部材３２の一端部が保持されている。
【００３６】
排水口装置５は、図１に示すように、配管５１と、通水部材５２と、支持軸５３と、ヘアキャッチャー５４と、栓蓋５５とを備えている。
【００３７】
配管５１は、自身の内部空間が洗面器１００の底壁部１０２に貫通形成された排水口１０３と連通するようにして底壁部１０２の背面に取付けられている。より詳しくは、配管５１の上端部内周には雌ねじ部５１Ｅが形成されており、当該雌ねじ部５１Ｅに対し、外周に雄ねじ部５７Ａを有する筒状の排水口部材５７を螺合し、排水口部材５７の上端部鍔状部分と配管５１の上端部との間で底壁部１０２を挟み込むことで、配管５１は底壁部１０２の背面に取付けられている。そして、排水口１０３を通った排水は、配管５１の内部へと流れ込み排出されるようになっている。尚、配管５１の上端部と底壁部１０２との間には、弾性変形可能な材料からなる環状のシール部材８が配置されており、当該シール部材８によって配管５１及び底壁部１０２間が水密にシールされている。
【００３８】
また、配管５１は、鉛直方向に沿って延びる筒状をなす本体管５１Ａと、当該本体管５１Ａの外周から水平方向に突出するように形成され、自身の内部空間が本体管５１Ａの内部空間に連通する筒状の取付管５１Ｂとを備えている。本実施形態において、取付管５１Ｂは、自身の内径が本体管５１Ａの内径よりも小さなものとされている。また、取付管５１Ｂは、自身の中心軸が本体管５１Ａの中心軸ＣＬ１と交差しないように、本体管５１Ａの径方向と直交する方向に若干ずれて配設されている（図４参照）。このため、取付管５１Ｂに挿通された回動部４１は、自身の回動軸ＣＬ２が本体管５１Ａの中心軸ＣＬ１と交差しないように配置されることとなる。尚、本実施形態において、本体管５１Ａ側に位置する取付管５１Ａの開口５１Ｋは、正面視円形状をなすものとされている。
【００３９】
さらに、取付管５１Ｂのうち本体管５１Ａとは反対側に位置する端部には、取付管５１Ｂの中心軸に対し回転対称な一対の取付用孔部５１Ｃが貫通形成されている（図４参照）。取付用孔部５１Ｃは、取付管５１Ｂの周方向に沿って延びる湾曲形状をなしている。また、取付管５１Ｂのうち取付用孔部５１Ｃを形成する部位には、外周側に窪んだ形状の窪み部（図示せず）が形成されている。
【００４０】
そして、配管５１の外側から、取付管５１Ｂに対し回動部４１を挿通するとともに、取付用孔部５１Ｃに対し前記ケース部材４３の係止部４３Ａを挿通した上で、栓蓋側機構部４（ケース部材４３）を回動させ、取付管５１Ｂ（特に取付管５１Ｂのうち取付用孔部５１Ｃに対応する部位）に前記係止部４３Ａを係止しつつ、取付管５１Ｂの前記窪み部に前記突起部４３Ｂを係止させることにより、配管５１に対し栓蓋側機構部４が取付けられている。尚、栓蓋側機構部４は、前記取付手法とは逆の手順で配管５１から取外すことができるようになっている。つまり、栓蓋側機構部４は、配管５１に対しその外側から取付・取外自在とされている。
【００４１】
また、前記窪み部に対し突起部４３Ｂが係止されるため、取付管５１Ｂに対しケース部材４３を取付けた状態において、栓蓋側機構部４は、取付管５１Ｂに対し、相対回転困難な状態で、一定の相対位置に取付けられる。このように取付管５１Ｂに対し栓蓋側機構部４が一定の相対位置に取付けられることで、配管５１に対し支持突起４４が一定の位置に配置されることとなる。
【００４２】
通水部材５２は、環状の外周壁部５２Ａと、当該外周壁部５２Ａの内周から内側に向けて延びる下部捕集部５２Ｃとを備えている。
【００４３】
外周壁部５２Ａは、配管５１（本体管５１Ａ）の内周面に沿うようにして配管５１（本体管５１Ａ）内に配置されている。また、外周壁部５２Ａの下端面が前記支持突起４４に載置状態とされることで、通水部材５２は、支持突起４４により配管５１（本体管５１Ａ）内で支持された状態となっている。
【００４４】
下部捕集部５２Ｃは、その内周部分が支持軸５３に固定されており、外周壁部５２Ａの径方向に沿って延びる複数のリブを有している。下部捕集部５２Ｃにおいて、本体管５１Ａを流れる排水は前記リブ間に形成された隙間を通って流れ落ち、その一方で、排水に含まれるゴミ等は捕集されることとなる。
【００４５】
支持軸５３は、棒状をなし、その上端部が栓蓋５５の背面中央部に取付けられるとともに、その下端側部分が通水部材５２に固定されている。そのため、支持突起４４が上下動し、通水部材５２が上下動した際には、通水部材５２とともに支持軸５３及び栓蓋５５が上下動するようになっている。
【００４６】
ヘアキャッチャー５４は、支持軸５３の外周から外周側に向けて広がっており、本体管５１Ａを流れる排水に含まれるゴミ等を捕集する機能を備えている。
【００４７】
栓蓋５５は、樹脂等からなる円板状の蓋部５５Ａと、当該蓋部５５Ａの背面外周側に取付けられた、弾性変形可能な材料（例えば、ゴムや樹脂等）からなる環状のパッキン部５５Ｂとを備えている。本実施形態では、変位部材２２の変位に伴い支持突起４４が下動した際に、通水部材５２及び支持軸５３とともに栓蓋５５が下動し、パッキン部５５Ｂの外周部分全域が底壁部１０２に接触することで、排水口１０３が閉鎖されるようになっている。一方で、変位部材２２の変位に伴い支持突起４４が上動した際には、通水部材５２及び支持軸５３とともに栓蓋５５が上動し、パッキン部５５Ｂが底壁部１０２から離間することで、排水口１０３が開放されるようになっている。
【００４８】
また、本実施形態では、排水口１０３の開放時において、支持突起４４は外周壁部５２Ａの下端面に接触しているが、排水口１０３の閉鎖時において、支持突起４４は外周壁部５２Ａの下端面から離間するようになっている。これにより、排水口１０３の閉鎖時において、栓蓋５５（パッキン部５５Ｂ）を確実に底壁部１０２へと接触させることができ、良好な水密性を得ることができる。
【００４９】
尚、本実施形態においては、洗面器１００の表側から栓蓋５５や支持軸５３を引き上げることで、通水部材５２、支持軸５３、ヘアキャッチャー５４及び栓蓋５５からなるユニット５６を配管５１から一度に取外すことができるようになっている。そのため、メンテナンス性や清掃性の向上を図ることができる。
【００５０】
次いで、回動部４１の回動軸ＣＬ２と直交する方向に沿った支持突起４４の移動可能範囲について説明する。
【００５１】
本実施形態では、支持突起４４に対し外周壁部５２Ａが載置されている状態において、図６に示すように、上方から見て、支持突起４４の中心軸ＣＬ３が回動部４１の回動軸ＣＬ２を越えない範囲内で移動するように回動部４１の回動可能範囲が規定されている。このように回動可能範囲を規定すべく、前方側接触部４３Ｃ及び後方側接触部４３Ｄ間の距離を調節し、ラック部４２Ａの往復移動可能量を調節することで、回動部４１の回動可能範囲が半周未満に設定されている。さらに、支持突起４４は、栓蓋側機構部４を配管５１に取付けた状態において回動部４１を回動させたときに、上方から見て、自身の中心軸ＣＬ３が回動部４１の回動軸ＣＬ２を越えずに移動する位置に配設されるようになっている。これにより、支持突起４４は、自身の中心軸ＣＬ３が、上方から見て、前記回動軸ＣＬ２を挟む２つの領域ＡＲ１，ＡＲ２（各領域ＡＲ１，ＡＲ２は、前記回動軸ＣＬ２を含む）のうちの一方側の領域ＡＲ１内でのみ移動するようになっている。
【００５２】
また、支持突起４４に対し外周壁部５２Ａが載置されている状態において、回動部４１が回動したとき、支持突起４４と通水部材５２（外周壁部５２Ａ）との接触部位が、本体管５１Ａの中心軸ＣＬ１を含み前記回動軸ＣＬ２と平行な平面ＶＳを通過するように回動部４１と本体管５１Ａの位置関係が設定されている。特に本実施形態では、上方から見たときにおける前記接触部位の移動範囲ＲＡの中心に前記平面ＶＳが位置するように、回動部４１と本体管５１Ａとの位置関係が設定されている。
【００５３】
尚、本実施形態では、上述の通り、取付管５１Ｂに対しケース部材４３を取付けた状態において、ケース部材４３は、取付管５１Ｂに対し相対回転困難で、かつ、一定の相対位置に取付けられる。そのため、支持突起４４の移動可能範囲をより確実に上述した範囲とすることができる。
【００５４】
以上詳述したように、本実施形態によれば、支持突起４４は、その先端が本体管５１Ａの中心（中心軸ＣＬ１）に到達せず、配管５１（本体管５１Ａ）からの突出量が極めて小さくなるように構成されている。従って、支持突起４４に対する異物等の付着をより確実に防止することができ、衛生性を高めることができる。また、清掃時に支持突起４４が邪魔となりにくくなり、清掃性を向上させることができる。
【００５５】
さらに、支持突起４４に外周壁部５２Ａが載置されている状態（支持突起４４により通水部材５２が支持されており、排水可能な状態）において、上方から見たとき、支持突起４４の中心軸ＣＬ３が回動部４１の回動軸ＣＬ２を越えない範囲内で移動する。つまり、支持突起４４に外周壁部５２Ａが載置されている状態において、上方から見たときにおける、回動軸ＣＬ２と直交する方向に沿った支持突起４４の移動範囲は、比較的小さなものとされている。従って、支持突起４４により通水部材５２が支持されており、排水可能となっている状態において、回動部４１の回動に伴う、配管５１（本体管５１Ａ）の内周面に対する支持突起４４の突出量の変動幅を比較的小さく抑えることができる。これにより、支持突起４４の前記突出量を、支持突起４４による通水部材５２（外周壁部５２Ａ）の安定的な支持を実現しつつ、排水時における支持突起４４に対する異物等の付着をより確実に防止できる程度の大きさに設定することができる。その結果、排水栓装置１の動作安定性を確保しつつ、清掃性、衛生性の更なる向上を図ることができる。
【００５６】
また、本実施形態によれば、支持突起４４の中心軸ＣＬ３が回動軸ＣＬ２の鉛直上方に位置しないこととなるため、排水口１０３の開放時において、栓蓋５５を踏みつけてしまったり、栓蓋５５に重量物を置いてしまったりした場合など、栓蓋５５等を介して、支持突起４４に力が加わった場合に、その力によって回動部４１を回動させることができる。従って、支持突起４４に対し過度に大きな力が加わってしまうことを防止でき、排水栓装置１の破損をより確実に防止することができる。
【００５７】
加えて、本実施形態では、支持突起４４と通水部材５２（外周壁部５２Ａ）との接触部位が、回動部４１の回動時に、上方から見て、前記平面ＶＳを通過可能とされている。つまり、支持突起４４により通水部材５２が支持されており、排水可能となっている状態において、上方から見て、支持突起４４が回動軸ＣＬ２と直交する方向に沿って移動したとき、支持突起４４は、その単位移動量当たりにおける前記突出量の変動量が比較的小さくなる範囲で移動するようになっている。従って、支持突起４４により通水部材５２が支持されており、排水可能となっている状態において、回動部４１の回動に伴う前記突出量の変動幅をより小さく抑えることができる。その結果、排水栓装置１の動作安定性や清掃性、衛生性の向上を一層図ることができる。
【００５８】
さらに、上方から見たとき、支持突起４４は、前記平面ＶＳを自身の移動範囲ＲＡの中心として移動する。従って、支持突起４４により通水部材５２が支持されており、排水可能となっている状態における、回動部４１の回動に伴う前記突出量の変動幅を一段と小さく抑えることができる。その結果、排水栓装置１の動作安定性や清掃性、衛生性のより一層の向上を図ることができる。
【００５９】
尚、上記実施形態の記載内容に限定されず、例えば次のように実施してもよい。勿論、以下において例示しない他の応用例、変更例も当然可能である。
【００６０】
（ａ）上記実施形態において、支持突起４４の形状は特に限定されるものではなく、例えば、支持突起は、円柱状や角柱状、断面楕円形状などをなしていてもよい。
【００６１】
（ｂ）上記実施形態では、回動部４１が回動したとき、上方から見て、支持突起４４と通水部材５２（外周壁部５２Ａ）との接触部位が、前記平面ＶＳを通過するように回動部４１と本体管５１Ａの位置関係が設定されているが、上方から見て、前記接触部位が前記平面ＶＳを通過しないように回動部４１と本体管５１Ａとの位置関係を設定してもよい。
【００６２】
また、上記実施形態では、上方から見たときにおける前記接触部位の移動範囲ＲＡの中心に前記平面ＶＳが位置するように、回動部４１と本体管５１Ａとの位置関係が設定されているが、上方から見たときにおける前記接触部位の移動範囲ＲＡの中心からずれた位置に前記平面ＶＳが位置するように設定してもよい。
【００６３】
（ｃ）上記実施形態では、支持突起４４の中心軸ＣＬ３が常に前記回動軸ＣＬ２を越えないようにすべく、回動部４１の回動可能範囲が半周未満に設定されているが、少なくとも支持突起４４に対し外周壁部５２Ａが載置されている状態において、支持突起４４の中心軸ＣＬ３が前記回動軸ＣＬ２を越えなければよい。従って、回動部４１の回動可能範囲を半周以上に設定し、支持突起４４から外周壁部５２Ａが離間している状態では、支持突起４４の中心軸ＣＬ３が前記回動軸ＣＬ２を越え得るように構成してもよい。
【００６４】
（ｄ）上記実施形態において、本体管５１Ａ側に位置する取付管５１Ｂの開口５１Ｋは、正面視円形状をなすように構成されているが、図７に示すように、本体管５１Ａ側に位置する取付管５１Ｂの開口５１Ｐが支持突起４４の移動範囲（移動領域）に対応する形状（例えば、円弧状）をなすものとし、当該開口５１Ｐに対し支持突起４４が挿通されることとしてもよい。この場合には、上記実施形態に比較し、取付管５１Ｂのうちその開口５１Ｐと回動部４１との間に位置する段差部分が本体管５１Ａ内により露出しにくくなる（本体管５１Ａ内に対する前記段差部分の露出量を小さくすることができる）。そのため、前記段差部分に対する異物の付着を防止することができ、衛生性を高めることができる。また、本体管５１Ａの清掃をより容易に行うことができる。特に上記実施形態では、回動部４１の回動軸ＣＬ２と本体管５１Ａの中心軸ＣＬ１とが交差しないように構成されているため、前記段差部分の面積が比較的大きなものとなりやすく、ひいては、若干ではあるが、前記段差部分の存在による衛生性や清掃性の面での悪影響が生じる可能性があるが、開口５１Ｐを支持突起４４の移動範囲に対応する形状とすることで、衛生性等の面での悪影響を払拭することができる。換言すれば、開口５１Ｐを支持突起４４の移動範囲に対応する形状とすることは、回動部４１の回動軸ＣＬ２と本体管５１Ａの中心軸ＣＬ１とが交差しないように構成されている場合において特に有効である。
【００６５】
（ｅ）上記実施形態では、槽体として洗面器１００を例示しているが、本発明の技術思想を適用可能な槽体は洗面器に限定されるものではない。従って、例えば、浴槽やキッチンの流し台などに対して本発明の技術思想を適用することとしてもよい。
【００６６】
（ｆ）上記実施形態における操作装置２の構成やこの設置場所はあくまでも例示である。従って、操作装置としては、変位部材が往復動作するものに代えて、変位部材が回転（回動）動作し、この回転（回動）動作に伴い伝達部材３１を動作させるものを用いてもよい。また、操作装置を、洗面器や浴槽などの槽体に設置することとしてもよいし、槽体の近傍に設けられた構造物に設置することとしてもよい。
【００６７】
（ｇ）上記実施形態では、栓蓋５５（パッキン部５５Ｂ）が底壁部１０２（洗面器１００）に接触することで排水口１０３を閉鎖するように構成されているが、栓蓋５５（パッキン部５５Ｂ）が洗面器１００に設置された部材（例えば、排水口部材５７）に接触することで排水口１０３を閉鎖するように構成してもよい。
【符号の説明】
【００６８】
１…排水栓装置、４…栓蓋側機構部、４１…回動部、４４…支持突起、５１…配管、５１Ａ…本体管、５１Ｂ…取付管、５１Ｐ…開口、５２…通水部材、５２Ａ…外周壁部、５３…支持軸、５５…栓蓋、１００…洗面器（槽体）、１０３…排水口、ＣＬ１…（本体管の）中心軸、ＣＬ２…（回動部の）回動軸、ＣＬ３…（支持突起の）中心軸、ＶＳ…平面。
【図１】
0006383274.tif 000002
【図２】
0006383274.tif 000003
【図３】
0006383274.tif 000004
【図４】
0006383274.tif 000005
【図５】
0006383274.tif 000006
【図６】
0006383274.tif 000007
【図７】
0006383274.tif 000008
【図８】
0006383274.tif 000009